(57)【要約】【課題】アナログ出力やディジタル出力を有するオーディオソースを、複数接続可能とするオーディオ入力切替装置では、アナログ入力に対するデジタル入力の数を無駄なく少なめに設け、且つオーディオソースの選択の際に、ユーザーの意図するように、アナログ入力とデジタル入力とが対になって選択される、操作性と経済性に優れたオーディオ入力切替装置が求められる。【解決手段】複数のアナログ入力と、該アナログ入力より数が少ないディジタル入力とを有する入力接続端子部１０と、このアナログ入力のうちの１つを指定する操作部１７と、アナログ入力部に入力されるアナログ信号を選択するアナログスイッチ１１と、ディジタル入力部に入力されるディジタル信号を選択するＤＩＲ１３と、コントローラ１６を有し、各ディジタル入力とアナログ入力とをそれぞれ個別に対応させたテーブルに従って、オーディオソースを選択する。【選択図】　　　　図１
2004039085.tif 000002
【特許請求の範囲】
【請求項１】
オーディオソースのアナログ出力部にそれぞれが接続可能な複数のアナログ入力部と、該アナログ入力より数が少なくて、オーディオソースのディジタル出力部にそれぞれが接続可能な１又は複数のディジタル入力部とを有する入力接続手段と、
少なくとも、前記複数のアナログ入力部のうちの１つを指定可能なソース指定部を有する操作手段と、
前記アナログ入力部に入力されるアナログ信号のうち１つを択一的に選択して出力可能なアナログ信号選択手段と、
前記ディジタル入力部に入力されるディジタル信号のうち１つを択一的に選択して出力可能なディジタル信号選択手段と、
前記ディジタル入力部と前記アナログ入力部とを個別に対応させたデータを記憶するテーブルを有し、前記ソース指定部で指定した前記アナログ入力部に入力するアナログ信号を選択するよう前記アナログ信号選択手段を制御すると共に、前記ソース指定部で指定した前記アナログ入力部に対応する前記ディジタル入力部が設定されている場合、該ディジタル入力部に入力するディジタル信号を選択するよう前記ディジタル信号選択手段を制御する制御手段と
を有することを特徴とするオーディオ入力切替装置。
【請求項２】
更に、前記アナログ信号選択手段から出力されるアナログ信号をＡ／Ｄ変換したアナログ入力系ディジタル信号と前記ディジタル信号選択手段から出力されるディジタル入力系ディジタル信号とのどちらか一方を選択して出力する信号選択手段を有することを特徴とする請求項１記載のオーディオ入力切替装置。
【請求項３】
前記ディジタル信号選択手段は、前記各ディジタル入力部にディジタル信号が入力しているか否かを検出してこの検出情報を含むディジタル信号入力情報を前記制御手段に出力することを特徴とする請求項２記載のオーディオ入力切替装置。
【請求項４】
前記制御手段は、前記アナログ信号選択手段と前記ディジタル信号選択手段とが、対応する前記アナログ入力部と前記ディジタル入力部とにそれぞれ入力したアナログ信号とディジタル信号とを各々出力しているとき、前記信号選択手段が前記ディジタル入力系ディジタル信号を優先して選択するよう制御することを特徴とする請求項３記載のオーディオ入力切替装置。
【請求項５】
前記制御手段は表示部を有し、前記ディジタル信号入力が入力していることが検出された前記ディジタル入力部に対し、前記テーブルにおいて対応するアナログ入力部が設定されていない場合、この状態を前記表示部に表示することを特徴とする請求項３記載のオーディオ入力切替装置。
【請求項６】
前記制御手段は前記テーブルの記憶内容を表示する表示部を有し、前記操作手段の操作によって前記テーブルの記憶内容を変更可能としたことを特徴とする請求項１記載のオーディオ入力切替装置。
【請求項７】
オーディオソースのアナログ出力部にそれぞれが接続可能な複数のアナログ入力部に入力するアナログ信号と、該アナログ入力より数が少なくて、オーディオソースのディジタル出力部にそれぞれが接続可能な１又は複数のディジタル入力部に入力するディジタル信号との何れかを選択するオーディオ入力切替方法であって、
前記複数のアナログ入力部のうちの１つを指定するステップと、
該ステップで指定されたアナログ入力部に入力するアナログ信号を選択するステップと、
前記ディジタル入力部と前記アナログ入力部とを個別に対応させたデータを記憶するテーブルに基づいて、前記指定されたアナログ入力部に対応する前記ディジタル入力部が設定されている場合、該ディジタル入力部に入力するディジタル信号を選択するステップと
を有することを特徴とするオーディオ入力切替方法。
【発明の詳細な説明】
【０００１】
【発明の属する技術分野】
本発明は、ＤＶＤやＬＤなどの複数のオーディオソースから出力されるアナログ信号及びディジタル信号を入力し、所望のオーディオソースのオーディオ信号を選択して再生するためのオーディオ入力切替装置及びオーディオ入力切替方法に関する。
【０００２】
【従来の技術】
ＡＶアンプ、オーディオアンプなどは、一般に、アナログカセットデッキ、ＣＤプレーヤ、ＭＤプレーヤ、衛星テレビ放送受信チューナ、ＬＤプレーヤなど、種々のオーディオソースが多数接続可能となっている。そして、ユーザが所望のオーディオソースを選択すると、そのオーディオソースから入力した信号が選択される
【０００３】
選択された入力信号は、例えば、音場制御用のＤＳＰ（Ｄｉｇｉｔａｌ　Ｓｉｇｎａｌ　Ｐｒｏｃｅｓｓｏｒ）を含む音響処理回路で処理可能な所定のディジタルオーディオ信号の形式に変換されてこの音響処理回路に入力されるようになっている。音響処理回路では、このディジタルオーディオ信号をＤＳＰで音場処理した後、フロントＬ、フロントＲ、リアＬ、リアＲなどのチャンネル別にＤ／Ａ変換して出力する。
【０００４】
ＣＤプレーヤ、ＭＤプレーヤ、衛星テレビ放送受信チューナ、及びＬＤプレーヤは、オーディオ信号をアナログ方式だけでなく、外乱の少ない同軸ケーブルによるディジタル方式でも出力しており、近年では、外乱のより少ない光ケーブルによるディジタル出力も可能となっている。
【０００５】
このようなオーディオソース機器の出力方式の多様化に対応し、ＡＶアンプ等では、複数のオーディオソース機器を同時接続できるだけでなく、幾つかのディジタルオーディオソース機器に対しては、アナログ入力、同軸入力、光入力の各入力の内、複数の入力系統を同時に接続可能としている。このためユーザは、リモコン等でＡＶアンプを操作し、複数のオーディオソース機器の中からソース機器の選択をすると共に上記した入力系統を選択することにより、所望のオーディオソースを最良の音質で聴取することができる。
【０００６】
一方、別の従来例としての特開平９−１２８８８６号公報によると、選択手段として、ユーザが所望するオーディオソースの中で、現在入力が有る（信号が届いている）方式の系統を検出する検出手段と、この検出手段で検出した系統の中で、予め設定した優先順位、例えば光入力、同軸入力、アナログ入力の優先順位で見た場合に、最も優先順位の高いものを判別する判別手段とを設け、そして複数の入力系統の入力の中から判別手段で判別されたもの選択し、所定の信号形式で出力するように構成することによって、ソース選択操作の後の入力系統の選択操作を省くための技術が開示されている。
【０００７】
また、更に別の従来例によれば、ソース選択操作の後の入力系統の選択操作を省略するための方法として、予めオーディオソースごとに、その入力系統を設定しておく方法も考えられている。
【発明が解決しようとする課題】
上記した最初の従来例によるオーディオ入力切替装置においては、ユーザがオーディオソースを選択するたびに、更に光入力、同軸入力、及びアナログ入力の各入力系統から一つの入力系統を選択する必要があり、選択操作が煩雑となる恐れがあった。
【０００８】
また、上記した別の従来例では、オーディオソースごとに選択する可能性のある入力系統を用意しておく必要があるため、入力端子及びこれにかかわる経路の数が多くなり、製品としてのコストが高くなってしまう問題があった。
【０００９】
更に、上記した別の従来例では、ユーザが初期設定を怠ると、音が出なかったり、各オーディオソースとの接続を替えるごとに初期設定をし直さなければならないなど、煩雑な面があった。
【００１０】
本発明の目的は、以上の問題点を解消し、製品のコストを抑えつつ、ユーザが確実にかつ容易に入力系統の設定が行え、設定後にはオーディオソースを切り替えるだけで自動的に最適な入力系統を選択するオーディオ入力切替装置及びオーディオ入力切替方法を提供することにある。
【００１１】
【課題を解決するための手段】
請求項１のオーディオ入力切替装置は、
オーディオソースのアナログ出力部にそれぞれが接続可能な複数のアナログ入力部と、該アナログ入力より数が少なくて、オーディオソースのディジタル出力部にそれぞれが接続可能な１又は複数のディジタル入力部とを有する入力接続手段と、少なくとも、前記複数のアナログ入力部のうちの１つを指定可能なソース指定部を有する操作手段と、前記アナログ入力部に入力されるアナログ信号のうち１つを択一的に選択して出力可能なアナログ信号選択手段と、前記ディジタル入力部に入力されるディジタル信号のうち１つを択一的に選択して出力可能なディジタル信号選択手段と、前記ディジタル入力部と前記アナログ入力部とを個別に対応させたデータを記憶するテーブルを有し、前記ソース指定部で指定した前記アナログ入力部に入力するアナログ信号を選択するよう前記アナログ信号選択手段を制御すると共に、前記ソース指定部で指定した前記アナログ入力部に対応する前記ディジタル入力部が設定されている場合、該ディジタル入力部に入力するディジタル信号を選択するよう前記ディジタル信号選択手段を制御する制御手段と
を有することを特徴とする。
【００１２】
請求項２のオーディオ入力切替装置は、請求項１記載のオーディオ入力切替装置において、
更に、前記アナログ信号選択手段から出力されるアナログ信号をＡ／Ｄ変換したアナログ入力系ディジタル信号と前記ディジタル信号選択手段から出力されるディジタル入力系ディジタル信号とのどちらか一方を選択して出力する信号選択手段を有することを特徴とする。
【００１３】
請求項３のオーディオ入力切替装置は、請求項２記載のオーディオ入力切替装置において、
前記ディジタル信号選択手段が、前記各ディジタル入力部にディジタル信号が入力しているか否かを検出してこの検出情報を含むディジタル信号入力情報を前記制御手段に出力することを特徴とする。
【００１４】
請求項４のオーディオ入力切替装置は、請求項３記載のオーディオ入力切替装置において、
前記制御手段が、前記アナログ信号選択手段と前記ディジタル信号選択手段とが、対応する前記アナログ入力部と前記ディジタル入力部とにそれぞれ入力したアナログ信号とディジタル信号とを各々出力しているとき、前記ディジタル入力系ディジタル信号を優先して選択するように、前記信号選択手段を制御することを特徴とする。
【００１５】
請求項５のオーディオ入力切替装置は、請求項３記載のオーディオ入力切替装置において、
前記制御手段が表示部を有し、前記ディジタル信号が入力していることが検出された前記ディジタル入力部に対し、前記テーブルにおいて対応するアナログ入力部が設定されていない場合、この状態を前記表示部に表示することを特徴とする。
また、請求項６のオーディオ入力切替装置は、請求項１記載のオーディオ入力切替装置において、
前記制御手段が前記テーブルの記憶内容を表示する表示部を有し、前記操作手段の操作によって前記テーブルの記憶内容を変更可能としたことを特徴とする。
【００１６】
請求項７のオーディオ入力切替方法は、
オーディオソースのアナログ出力部にそれぞれが接続可能な複数のアナログ入力部に入力するアナログ信号と、該アナログ入力より数が少なくて、オーディオソースのディジタル出力部にそれぞれが接続可能な１又は複数のディジタル入力部に入力するディジタル信号との何れかを選択するオーディオ入力切替方法であって、
前記複数のアナログ入力部のうちの１つを指定するステップと、該ステップで指定されたアナログ入力部に入力するアナログ信号を選択するステップと、前記ディジタル入力部と前記アナログ入力部とを個別に対応させたデータを記憶するテーブルに基づいて、前記指定されたアナログ入力部に対応する前記ディジタル入力部が設定されている場合、該ディジタル入力部に入力するディジタル信号を選択するステップと
を有することを特徴とする。
【００１７】
【発明の実施の形態】
実施の形態１．
図１は、本発明によるオーディオ入力切替装置の実施の形態１の構成を示すブロック図である。
【００１８】
同図のオーディオ入力切替装置１において、入力接続手段としての入力接続端子部１０は、図示しない複数のオーディオソースとアナログ接続、またはディジタル接続する部分で、各オーディオソースのアナログ出力部と接続するための５つのアナログ入力端子１０ａ〜１０ｅ、各オーディオソースのディジタル光出力部と光ケーブルで接続される２つの光入力端子１０ｆ，１０ｇ、及び、各オーディオソースのディジタル同軸出力部と同軸ケーブルで接続される１つ同軸入力端子１０ｈが配設されている。
【００１９】
尚、アナログ入力端子１０ａ〜１０ｅは、アナログ入力部に相当し、それぞれ左右の２チャンネル分の信号系を有するものであるが、簡単のため１チャンネルで示している。また、２つの光入力端子１０ｆ，１０ｇ、及び同軸入力端子１０ｈは、ディジタル入力部に相当する。
【００２０】
また、５つのアナログ入力端子１０ａ〜１０ｅには、それぞれ「アナログ入力１」〜「アナログ入力５」の名称を、２つの光入力端子１０ｆ，１０ｇには、「ディジタル光入力１」、「ディジタル光入力２」の名称を、そして同軸入力端子１０ｈには、「同軸入力」の名称をそれぞれ付し、以後、これらの各入力端子１０ａ〜１０ｈを名称で呼ぶことにする。
【００２１】
アナログ信号選択手段に相当するアナログスイッチ１１は、５つのアナログ入力１〜５から１つのアナログ入力を選択し、選択したアナログ入力に入力するアナログ入力信号をＡ／Ｄ変換器１２に出力する。Ａ／Ｄ変換器１２は、入力したアナログ信号をディジタル信号に変換して信号選択手段に相当する切替スイッチ１４の一方の信号入力部１４ａに出力する。
【００２２】
ディジタル信号選択手段に相当するＤＩＲ（Ｄｉｇｉｔａｌ　Ｉｎｔｅｒｆａｃｅ　Ｒｅｃｅｉｖｅｒ）１３は、ディジタル光入力１、ディジタル光入力２及びディジタル同軸入力から１つの入力を選択し、選択したディジタル入力に入力するディジタル入力信号を選択して切替スイッチ１４の他方の信号入力部１４ｂに出力する。また、このＤＩＲ１３は、ディジタル光入力１、ディジタル光入力２及びディジタル同軸入力に入力するディジタル信号の有無を検出し、そのディジタル信号入力情報ＩＮＩを制御手段に相当するコントローラ１６に出力する。
【００２３】
切替スイッチ１４は、各信号入力部１４ａ，１４ｂに入力するディジタル信号のうち一方を選択して音響処理回路１５に出力する。音響処理回路１５は、このディジタル信号を入力し、図示しないＤＳＰなどで音響処理を施した後、各チャンネルの音声信号を出力する。各チャンネルの音声信号は、それぞれ図示しない増幅器等の所定の音声信号回路を経てスピーカに至る。
【００２４】
リモコン等による操作部１７は操作手段に相当し、図２に示すような操作パネル１７ａを有し、オーディオソースを選択するためのソース指定部としての５つの選択ボタン１７ｂと、後述するように、各種設定を行うための十字スイッチ１７ｃが配設され、ユーザによって操作される際の操作信号ＯＰＥをコントローラ１６に出力する。コントローラ１６は、この操作信号ＯＰＥや、ＤＩＲ１３からのディジタル信号入力情報ＩＮＩを入力し、これらの情報に基づいてアナログスイッチ１１、ＤＩＲ１３、切替回路１４、及び音響処理回路１５の動作を制御すると共に、表示部１８に後述する表示に必要な表示データを出力する。
【００２５】
例えば、アナログスイッチ１１を制御する場合、ユーザが操作パネル１７ａ（図２）の選択ボタン１７ｂを操作して所望のソース番号を選択した際の番号情報を操作部１７から入力し、アナログスイッチ１１の可動端子が同番号のアナログ入力を選択するようにアナログスイッチ１１を制御する。
【００２６】
以上の構成において、先ず信号の流れについて説明する。ＤＶＤ，ＬＤ，ＴＶ，ビデオなどのオーディオソースの出力部は、入力接続端子部１０の各入力端子に接続される。例えば、アナログ信号で接続する場合は、アナログ入力１〜アナログ入力５のいずれかに接続し、ディジタル信号を光ケーブルで接続する場合は、ディジタル光入力１又は２に接続し、ディジタル信号を同軸ケーブルで接続する場合は、ディジタル同軸入力に接続する。
【００２７】
いま、複数のオーディオソースがあって、各オーディオソースのアナログ出力部が、入力接続端子部１０の各アナログ入力１〜アナログ入力５の何れかに接続された場合、アナログ入力１に接続されたオーディオソースをオーディオソース１と称し、以下同様にして各アナログ入力２〜５に接続されたオーディオソースをそれぞれオーディオソース２〜５と称す。
【００２８】
一方、コントローラ１６は、ディジタル信号を入力する３つの入力端子、即ちディジタル光入力１，２及びディジタル同軸入力と、操作パネル１７ａ（図２）に配設されたオーディオソースを選択するための５つの選択ボタン１７ｂとの対応関係を予め設定したテーブルを内蔵し、これに基づいてＤＩＲ１３の選択動作を制御する。
【００２９】
図３は、このテーブルに設定された対応関係の一例を示す表であるが、この場合、操作者によってオーディオソース１の選択ボタンが選択されると、ＤＩＲ１３がディジタル光入力１に入力するディジタル信号を選択して切替スイッチ１４の他方の信号入力部１４ｂに出力するように制御し、オーディオソース４の選択ボタンが選択されると、ＤＩＲ１３がディジタル同軸入力に入力するディジタル信号を選択して切替スイッチ１４の他方の信号入力部１４ｂに出力するように制御する。またこの場合、光入力２は未接続とされているため、例え、この端子に信号が入力されても、これが選択されて切替スイッチ１４に出力されることはない。
【００３０】
以上の設定は、ユーザによって行われる。例えばコントローラ１６は、この設定モード時に、図３の表を表示部１８に表示し、ユーザはこの表を見ながら十字スイッチ１７ｃを操作して入力欄を選択し、所望の入力欄に○印を入力して各オーディオソースとディジタル信号入力との対応関係を設定する。さらにユーザは、この表の対応関係に従って、図示しないオーディオソース１の光出力端子と入力接続端子部１０のディジタル光入力１を光ケーブルで接続し、図示しないオーディオソース４の同軸力端子と入力接続端子部１０のディジタル同軸入力を同軸ケーブルで接続する。
【００３１】
以上の接続及び設定状態において、アナログ入力１〜５にそれぞれ入力する各アナログ信号は、ユーザの選択操作に基づくコントローラ１６の指令によってアナログスイッチ１１で選択され、Ａ／Ｄ変換器１２によってディジタル信号に変換された後、切替スイッチ１４の一方の信号入力部１４ａに入力する。例えばユーザが、前記したように操作部１７を操作してオーディオソース１を選択した場合、コントローラ１６は、アナログスイッチ１１がアナログ入力１に入力するアナログ信号を選択して切替スイッチ１４に出力するように制御する。
【００３２】
一方、ディジタル光入力１、ディジタル光入力２、及びディジタル同軸入力に入力する各ディジタル信号は、前記したようにテーブル（図３）の対応関係に従って、コントローラ１６の指令によってＤＩＲ１３で選択され、切替スイッチ１４の他方の信号入力部１４ｂに入力する。例えばユーザが、操作部１７を操作してオーディオソース１を選択した場合、コントローラ１６は、ＤＩＲ１３が、テーブル（図３）の対応関係に従ってディジタル光入力１に入力するディジタル信号を選択して切替スイッチ１４に出力するように制御する。
【００３３】
また、ディジタル光入力１、ディジタル光入力２、及びディジタル同軸入力の各ディジタル入力部は、ＤＩＲ１３によって、実際にディジタル信号を入力しているか否かが検出され、その検出結果を含むディジタル信号入力情報ＩＮＩがＤＩＲ１３からコントローラ１６に出力される。
【００３４】
切替スイッチ１５は、コントローラ１６の指令に基づいて、信号入力部１４ａに入力するアナログ系統、又は信号入力部１４ｂに入力するディジタル系統の信号を選択して音響処理回路１５に出力する。例えば、ユーザがオーディオソース１を選択した場合、切替スイッチ１４の各信号入力部１４ａ及び１４ｂにはそれぞれアナログ系統（Ａ／Ｄ変換されている）及びディジタル系統の信号が入力する状態となるが、このとき切替スイッチ１４は、後述する優先順位に従って信号入力部１４ｂに入力するディジタル光入力１のディジタル信号を選択して音響処理回路１５に出力する。
【００３５】
また、ユーザがオーディオソース２、３、５の何れかを選択した場合、図３の表に示すように対応するディジタル入力がないため、ＤＩＲ１３からは信号が出力されず、切替スイッチ１５は、後述するフローに従って入力部１４ａに入るアナログ系統（Ａ／Ｄ変換されている）のディジタル信号を選択する。
【００３６】
音響処理回路１５は、切替スイッチ１５で選択したディジタル信号を入力し、コントローラ１６の指令によって最適な音場を作り出すための演算を行い、フロントＬ、フロントＲ、リアＬ、リアＲなどのチャンネル別にＤ／Ａ変換したアナログオーディオ信号を図示しない各増幅器にそれぞれ出力する。
【００３７】
次に、コントローラ１６が、操作部１７から入力する操作信号ＯＰＥやＤＩＲ１３から入力するディジタル信号入力情報ＩＮＩを入力し、オーディオ入力切替装置１全体を制御する手順について、図４のフローチャートを参照しながら説明する。
【００３８】
ユーザが、操作パネル１７ａに配設された選択ボタン１７ｂを操作するのを監視し（ステップ１）、所望のオーディオソース番号ｎ（１〜５の整数）が選択されると、内臓するテーブル（図３）をチェックし、選択されたオーディオソース番号ｎに対応設定されたディジタル入力（ディジタル光入力１，２及びディジタル同軸入力）が有るか否か、更には該当するディジタル入力にディジタル信号が入力されているか否かをチェックする（ステップ２〜ステップ４）。そして、該当するディジタル入力が有る場合、そこに入力されているディジタル信号を選択し、前記した所定の経路を介して形成したアナログオーディオ信号を出力する（ステップ５〜ステップ７）。
【００３９】
もし選択されたオーディオソース番号ｎに対してディジタル入力が対応設定されていなかったり、対応設定されている場合でも、ディジタル信号が入力されてなかった場合、アナログ入力（ｎ）に接続されたオーディオソース（ｎ）のアナログ信号が選択され、前記した所定の経路を介して形成したアナログオーディオ信号を出力する（ステップ８）。
【００４０】
その後、ディジタル入力のテーブルへの登録もれが無いかをチェックする。即ち、ディジタル信号が入っているにもかかわらず、テーブルへ登録されていないディジタル入力を検出する（ステップ９〜ステップ１１）。この状態は、例えばユーザが、所望のオーディオソース（ｎ）のディジタル出力と、あるディジタル入力とをケーブルで接続したにもかかわらず、このディジタル入力が選択されない状態に相当する。
【００４１】
もし、このような登録もれのディジタル入力が存在した場合、例えば図３の表に示すようにディジタル光入力２が未接続で、更にこのディジタル光入力２がディジタルソース（５）の光出力部と光ケーブルで接続されている場合、ステップ１１でこの状態が検出され、ステップ１４に移ってこの光入力２の設定作業を行う。例えば、このときコントローラ１６は、その表示部１８に、図５に示す画像を表示させる。ユーザは、この画面をみて、各ディジタル入力の設定状態を確認し、操作パネル１７ａの十字スイッチ１７ｃ（図３）で光入力２の「未接続」を選択し、選択ボタン１７ｂでソース５を入力設定する。
【００４２】
この入力設定が完了すると再びステップ１に移ってユーザによるソース選択を監視する状態となり、以後同様の動作を繰り返す。
【００４３】
以上のように、実施の形態１のオーディオ入力切替装置１によれば、限られた数のディジタル入力をアナログ入力に対して任意に対応させ、入力するアナログとディジタルの各オーディオ信号を処理するため、ディジタル入力の数を無闇に増やすことなく、無駄のない理想的な信号切替が可能となる。
【００４４】
また、１つのオーディオソースからアナログとディジタルによる同内容のオーディオ信号を入力する場合、自動的に音質の優れたディジタル入力信号を優先的に選択するため、ユーザによる選択操作数を減らすことができ、操作の煩雑を避けることができる。
【００４５】
また、所望のオーディオソースに接続したディジタル入力を、そのオーディオソースのアナログ信号を入力するアナログ入力に対応させる設定を忘れた場合にも、このミスを検出して接続を促すように構成されているため、ユーザの設定忘れミスを防ぐことができる。
【００４６】
尚、前記した実施の形態では、未設定のディジタル入力の設定画面として図５のレイアウトを示したが、これに限定されるものではなく、例えば図３の表を表示させ、選択可能欄（実施例の場合、光入力２のオーディオソース番号２，３，５の欄が相当する）を色を換えて表示してもよいなど、種々の態様を取り得るものである。
【００４７】
【発明の効果】
請求項１，２，及び７のオーディオ入力切替装置によれば、限られた数のディジタル入力をアナログ入力に対して対応させ、入力するアナログとディジタルの各オーディオ信号を処理することが可能となるため、ディジタル入力の数を無闇に増やすことなく、ディジタル入力を無駄なく効果的に利用することができる。
【００４８】
請求項３，４のオーディオ入力切替装置によれば、１つのオーディオソースからアナログとディジタルによる同内容のオーディオ信号を入力する場合、自動的に音質の優れたディジタル入力信号を優先的に選択するため、ユーザによる選択操作数を減らすことができ、操作の煩雑を避けることができる。また、ディジタル入力に信号が入力されていない状態では、これを検出し、アナログ入力信号を選択することができるため、オーディオソースが再生ソフトによってアナログ信号のみを出力する場合があっても対応できる。
【００４９】
請求項３，５のオーディオ入力切替装置によれば、所望のオーディオソースに接続したディジタル入力を、そのオーディオソースのアナログ信号を入力するアナログ入力に対応させる設定を忘れた場合にも、このミスを検出して接続を促すことが可能なため、ユーザの設定忘れミスを防ぐことができる。
【００５０】
請求項６のオーディオ入力切替装置によれば、請求項１の効果に加え、ディジタル入力とアナログ入力の対応を自由に設定できるため、オーディオソースとの接続において、その自由度を増すことができる。
【図面の簡単な説明】
【図１】本発明によるオーディオ入力切替装置の実施の形態１の構成を示すブロック図である。
【図２】操作部１７の操作部パネル１７ａのレイアウトを示す構成図である。
【図３】コントローラ１６のテーブルに設定された対応関係の一例を示す表を示す図である。
【図４】コントローラ１６が、オーディオ入力切替装置１全体を制御する手順を示すフローチャートである。
【図５】ディジタル入力の設定作業を行う際に表示部１８に表示される画像を示す図である。
【符号の説明】
１　オーディオ入力切替装置、　１０　入力接続端子部、　１０ａ〜１０ｅ　アナログ入力端子、　１０ｆ，１０ｇ　光入力端子、　１０ｈ　同軸入力端子、１１　アナログスイッチ、　１２　Ａ／Ｄ変換器、　１３　ＤＩＲ、　１４　切替スイッチ、　１４ａ，１４ｂ　信号入力部、　１５　音響処理回路、　１６コントローラ、　１７　操作部、　１７ａ　操作パネル、　１７ｂ　選択ボタン、　１７ｃ　十字スイッチ、　１８　表示部。
【図１】
2004039085.tif 000003
【図２】
2004039085.tif 000004
【図３】
2004039085.tif 000005
【図４】
2004039085.tif 000006
【図５】
2004039085.tif 000007